(57)【要約】【課題】主に、外枠の構造を工夫することにより、表示パネルのパネル浮きを防止することが可能な電気光学装置を提供する。【解決手段】電気光学装置は、液晶表示パネルと、その端部に接続されると共に折り返し部で曲げられてその背面側に固定されるＦＰＣと、液晶表示パネルを収容する枠状のフレームと、底面とそれに対向する張り出し部を有しフレームに取り付けられる外枠とを備え、外枠は、少なくとも張り出し部がフレームの外形より外側に位置するようにフレームに嵌め込まれた状態で、フレームに対して当該外枠を一方向にスライドさせることが可能なスライド構造を有し、当該外枠がスライド構造を通じて液晶表示パネル側へスライドされることにより、ＦＰＣの折り返し部が外枠の底面と張り出し部とで挟み込まれる。これにより、ＦＰＣの実装部分の長さ、及びそれに対応する張り出し部の長さが長くなるような構成の下でも、液晶表示パネルのパネル浮きを防止できる。【選択図】図１
2008064926.tif 000002
【特許請求の範囲】
【請求項１】
表示パネルと、
前記表示パネルの端部に接続されるとともに、折り返し部で曲げられて前記表示パネルの背面側に固定されるフレキシブル基板と、
前記表示パネルを収容する枠状のフレームと、
底面と前記底面に対向する張り出し部を有し、前記フレームに取り付けられる外枠と、を備え、
前記外枠は、少なくとも前記張り出し部が前記フレームの外形より外側に位置するように前記フレームに嵌め込まれた状態において、前記フレームに対して当該外枠を一方向にスライドさせることが可能なスライド構造を有し、
当該外枠が前記スライド構造を通じて前記表示パネル側へスライドされることにより、前記フレキシブル基板の折り返し部が、前記外枠の底面と前記張り出し部とで挟み込まれることを特徴とする電気光学装置。
【請求項２】
前記表示パネルを照明する照明装置を有し、
前記フレームは、前記照明装置が嵌め込まれて前記外枠に保持されてなり、
前記フレキシブル基板は、前記フレームの一端を挟むように折り返されると共に、前記張り出し部と前記フレームの一端の縁で挟まれていることを特徴とする請求項１に記載の電気光学装置。
【請求項３】
前記フレームは前記外枠をスライドさせるための凸状部を有すると共に、前記外枠は前記スライド構造として前記凸状部が挿入される挿入孔を有し、
前記挿入孔は、前記凸状部が当該挿入孔に挿入された状態において、前記外枠を前記表示パネル側へスライドさせることが可能な大きさを有することを特徴とする請求項１又は２に記載の電気光学装置。
【請求項４】
前記表示パネルの背面側に位置するフレキシブル基板は、前記フレームの前記外形より外側へはみ出すはみ出し部を有し、
前記外枠は、前記はみ出し部を挿通させるための挿通孔を有し、
前記挿通孔は、前記はみ出し部が前記フレームの前記外側へはみ出すように前記挿通孔に挿通された状態において、前記外枠を前記表示パネル側へスライドさせることが可能な大きさを有することを特徴とする請求項１又は２に記載の電気光学装置。
【請求項５】
前記表示パネル側に位置する前記張り出し部の一端側は、前記フレキシブル基板と逆側へ折り曲げられていることを特徴とする請求項１乃至４のいずれか一項に記載の電気光学装置。
【請求項６】
前記張り出し部と、当該張り出し部に挟持される前記フレキシブル基板の部分との間には前記フレキシブル基板を保護するための保護部材が設けられていることを特徴とする請求項１乃至５のいずれか一項に記載の電気光学装置。
【請求項７】
請求項１乃至６のいずれか一項に記載の電気光学装置を表示部に備えることを特徴とする電子機器。
【請求項８】
表示パネルと、前記表示パネルの端部に接続されるとともに、折り返し部で曲げられて前記表示パネルの背面側に固定されるフレキシブル基板と、前記表示パネルを収容する枠状のフレームと、を有するパネル構造体の前記フレームに、底面と前記底面に対向する張り出し部を有する外枠を取り付ける外枠取付方法を備える電気光学装置の製造方法であって、
前記表示パネルの前記背面側に固定された前記フレキシブル基板の一部を、前記フレームの外側にはみ出すように前記外枠に設けられた挿通孔に挿通させた後に、少なくとも前記張り出し部が前記フレームの外形より外側に位置するように、前記フレームに設けられた凸状部を前記外枠に設けられた挿入孔に挿入して前記外枠を前記フレームに嵌め込む外枠嵌め込み工程と、
前記フレームに嵌め込まれた前記外枠を前記表示パネル側へスライドさせ、前記底面と前記張り出し部とで前記フレキシブル基板の折り返し部を挟み込みつつ、前記外枠を前記フレームに取り付ける外枠取付工程と、を備える電気光学装置の製造方法。
【発明の詳細な説明】
【技術分野】
【０００１】
本発明は、各種情報の表示に用いて好適な電気光学装置に関する。
【背景技術】
【０００２】
一般的には、電気光学装置の一つである液晶表示装置は、主に、表示パネルとして機能し、液晶を２枚の基板で挟持してなる液晶表示パネルと、ＬＥＤ（Light Emitting Diode）などの光源を端面に有する導光板より構成される照明装置と、を備える。
【０００３】
このような液晶表示装置では、照明装置が枠状のフレームに収められており、液晶表示パネルが当該フレームに枠状の両面テープで接着されている。ここで、液晶表示パネルを駆動するドライバＩＣは、当該液晶表示パネルの基板上に設置され、フレキシブル基板（ＦＰＣ：Flexible Printed Circuit）を介して外部の電子機器と接続されている。液晶表示パネルの基板に接続されたＦＰＣは、照明装置側に折り返されており、当該フレームと当該ＦＰＣは、箱状の金属製の外枠に収納される。
【０００４】
なお、特許文献１には、箱状のバックライトにスリット状の挿入穴を設け、その挿入穴
から液晶表示板を挿入するだけで、当該液晶表示板を固定することが可能な液晶表示板固定構造が記載されている。
【０００５】
【特許文献１】特開平９−１２７４９０号公報
【発明の開示】
【発明が解決しようとする課題】
【０００６】
しかしながら、上記した両面テープ固定方法を有する液晶表示装置において、折り返されたＦＰＣには、元に戻ろうとする応力が発生する。そのため、両面テープの粘着力では、液晶表示パネルを固定しきれず、パネル浮きが発生することが多々あった。
【０００７】
特に、近年では、液晶表示パネルの狭額縁化に伴って、液晶表示パネル及び照明装置を固定できる領域が減る傾向にある。そのため、フレームにおいて両面テープの貼り付け領域を十分に確保することができず、ＦＰＣに発生する応力を抑えることが困難となり、パネル浮きが発生し易い傾向にある。
【０００８】
また、両面テープ固定方法ではなく、上金枠と下金枠を用い、その両者を嵌合させてＦＰＣの折り返し部分を挟持することにより、ＦＰＣに発生する応力を抑えてパネル浮きを防止する方法も存在する。しかしながら、かかる方法では、液晶表示パネルの狭額縁化に伴って、ＦＰＣの折り返し部分を挟持する上金枠の折り曲げ可能な領域が減少するため、上金枠及び下金枠の作製が困難になるといった課題がある。
【０００９】
本発明は上記の点に鑑みてなされたものであり、主に、外枠の構造を工夫することにより、表示パネルのパネル浮きを防止することが可能な電気光学装置を提供することを課題とする。
【課題を解決するための手段】
【００１０】
本発明の１つの観点では、電気光学装置は、表示パネルと、前記表示パネルの端部に接続されるとともに、折り返し部で曲げられて前記表示パネルの背面側に固定されるフレキシブル基板と、前記表示パネルを収容する枠状のフレームと、底面と前記底面に対向する張り出し部を有し、前記フレームに取り付けられる外枠と、を備え、前記外枠は、少なくとも前記張り出し部が前記フレームの外形より外側に位置するように前記フレームに嵌め込まれた状態において、前記フレームに対して当該外枠を一方向にスライドさせることが可能なスライド構造を有し、当該外枠が前記スライド構造を通じて前記表示パネル側へスライドされることにより、前記フレキシブル基板の折り返し部が、前記外枠の底面と前記張り出し部とで挟み込まれる。
【００１１】
上記の電気光学装置は、表示パネルと、フレキシブル基板と、枠状のフレームと、外枠と、を備える。前記フレキシブル基板は、前記表示パネルの端部に接続されるとともに、折り返し部で曲げられて前記表示パネルの背面側に固定される。前記枠状のフレームは、前記表示パネルを収容する。前記外枠は、底面と前記底面に対向する張り出し部を有し、前記フレームに取り付けられる。
【００１２】
特に、外枠は、少なくとも張り出し部がフレームの外形より外側に位置するようにフレームに嵌め込まれた状態において、フレームに対して当該外枠を一方向にスライドさせることが可能なスライド構造を有し、当該外枠がスライド構造を通じて表示パネル側へスライドされることにより、フレキシブル基板の折り返し部が、外枠の底面と張り出し部とで挟み込まれる。
【００１３】
これにより、表示パネルの端部に接続される、フレキシブル基板の実装部分に電子部品が搭載されて、そのフレキシブル基板の実装部分の長さ、及び、その実装部分に対応する張り出し部の長さが長くなるような構成の下でも、外枠をスライド構造を通じて表示パネル側へスライドさせることにより、フレキシブル基板の折り返し部分を外枠の底面と張り出し部とで挟み込んだ上で、当該外枠をフレームに確実且つ容易に取り付けることができる。よって、フレキシブル基板に発生した応力を抑えることができ、パネル浮きを防ぐことができる。また、この構成によれば、外枠を表示パネル側へスライドさせることでフレームに対する外枠の取り付けが容易となるのみならず、必要に応じて、外枠を表示パネルと逆側へスライドさせることでフレームに対する外枠の取り外しも容易となり、リワーク性を高めることができる。
【００１４】
好適な例では、外枠は、フレームの外形より小さな形状を有すると共に、フレームに対して一方向にスライドさせることが可能な形状を有するのが好ましい。これにより、例えば箱状に形成された外枠と比較して、外枠の形成材料の使用量を低減することができ、外枠のコストを低減できる。
【００１５】
上記の電気光学装置の一態様は、前記表示パネルを照明する照明装置を有し、前記フレームは、前記照明装置が嵌め込まれて前記外枠に保持されてなり、前記フレキシブル基板は、前記フレームの一端を挟むように折り返されると共に、前記張り出し部と前記フレームの一端の縁で挟まれている。これにより、フレキシブル基板は、フレームの縁上に固定されるので、パネル浮きをより効果的に防ぐことができる。
【００１６】
上記の電気光学装置の他の態様は、前記フレームは前記外枠をスライドさせるための凸状部を有すると共に、前記外枠は前記スライド構造として前記凸状部が挿入される挿入孔を有し、前記挿入孔は、前記凸状部が当該挿入孔に挿入された状態において、前記外枠を前記表示パネル側へスライドさせることが可能な大きさを有する。また、前記表示パネルの背面側に位置するフレキシブル基板は、前記フレームの前記外形より外側へはみ出すはみ出し部を有し、前記外枠は、前記はみ出し部を挿通させるための挿通孔を有し、前記挿通孔は、前記はみ出し部が前記フレームの前記外側へはみ出すように前記挿通孔に挿通された状態において、前記外枠を前記表示パネル側へスライドさせることが可能な大きさを有する。これらの態様によれば、外枠を表示パネル側へスライドさせることが可能となる。
【００１７】
上記の電気光学装置の他の態様は、前記表示パネル側に位置する前記張り出し部の一端側は、前記フレキシブル基板と逆側へ折り曲げられている。これにより、外枠を表示パネル側へスライドしてフレームに取り付ける際に、フレキシブル基板が張り出し部の一端側によって傷付けられる虞がなくなる。
【００１８】
上記の電気光学装置の他の態様は、前記張り出し部と、当該張り出し部に挟持される前記フレキシブル基板の部分との間には前記フレキシブル基板を保護するための保護部材が設けられている。これにより、外枠を表示パネル側へスライドしてフレームに取り付ける際に、フレキシブル基板が張り出し部の一端側によって傷付けられる虞がなくなる。
【００１９】
本発明の他の観点では、上記の電気光学装置を表示部に備える電子機器を構成することができる。
【００２０】
本発明の更に他の観点では、表示パネルと、前記表示パネルの端部に接続されるとともに、折り返し部で曲げられて前記表示パネルの背面側に固定されるフレキシブル基板と、前記表示パネルを収容する枠状のフレームと、を有するパネル構造体の前記フレームに、底面と前記底面に対向する張り出し部を有する外枠を取り付ける外枠取付方法を備える電気光学装置の製造方法は、前記表示パネルの前記背面側に固定された前記フレキシブル基板の一部を、前記フレームの外側にはみ出すように前記外枠に設けられた挿通孔に挿通させた後に、少なくとも前記張り出し部が前記フレームの外形より外側に位置するように、前記フレームに設けられた凸状部を前記外枠に設けられた挿入孔に挿入して前記外枠を前記フレームに嵌め込む外枠嵌め込み工程と、前記フレームに嵌め込まれた前記外枠を前記表示パネル側へスライドさせ、前記底面と前記張り出し部とで前記フレキシブル基板の折り返し部を挟み込みつつ、前記外枠を前記フレームに取り付ける外枠取付工程と、を備える。
【００２１】
上記の電気光学装置の製造方法によれば、外枠嵌め込み工程は、表示パネルの背面側に固定されたフレキシブル基板の一部を、フレームの外側にはみ出すように外枠に設けられた挿通孔に挿通させた後に、少なくとも張り出し部がフレームの外形より外側に位置するように、フレームに設けられた凸状部を外枠に設けられた挿入孔に挿入して外枠をフレームに嵌め込む。そして、次工程としての外枠取付工程は、フレームに嵌め込まれた外枠を表示パネル側へスライドさせ、底面と張り出し部とでフレキシブル基板の折り返し部を挟み込みつつ、外枠をフレームに取り付ける。
【００２２】
これにより、表示パネルの端部に接続される、フレキシブル基板の実装部分に電子部品が搭載されて、そのフレキシブル基板の実装部分の長さ、及び、その実装部分に対応する張り出し部の長さが長くなるような構成の下でも、フレキシブル基板の折り返し部分を外枠の底面と張り出し部とで挟み込んだ上で、当該外枠をフレームに確実且つ容易に取り付けることができる。よって、フレキシブル基板に発生した応力を抑えることができ、パネル浮きを防ぐことができる。
【発明を実施するための最良の形態】
【００２３】
以下、図面を参照して本発明の好適な実施形態について説明する。尚、以下の実施形態は、本発明を電気光学装置の一例としての液晶表示装置に適用したものである。
【００２４】
[液晶表示装置]
図１（ａ）は、画像等を観察することが可能な液晶表示パネル側から見たときの、本実施形態に係る液晶表示装置１００の正面側の斜視図であり、図１（ｂ）は、液晶表示パネルに対して逆側（背面側）となる照明装置９側から見たときの、液晶表示装置１００の背面側の斜視図である。なお、図１を含む各図において、Ｘ、Ｙ、Ｚの各矢印方向は夫々＋Ｘ方向、＋Ｙ方向、＋Ｚ方向を夫々示し、＋Ｘ方向、＋Ｙ方向、＋Ｚ方向に対して逆方向は−Ｘ方向、−Ｙ方向、−Ｚ方向を夫々示す。図２は、図１（ａ）に示す液晶表示装置１００の切断線Ａ−Ａ´に沿った断面図を示す。
【００２５】
図２に示すように、液晶表示装置１００は、主に、照明装置９と、液晶表示パネル２０と、を有して構成される。液晶表示パネル２０は、導光板１１の上面に対向して配置される。
【００２６】
照明装置９は、導光板１１と、反射シート１４と、光源部１５と、を有して構成される。反射シート１４は、導光板１１の下面に配置される。光源部１５は、導光板１１の端面に配置され、点光源である複数のＬＥＤ１６を備える。各ＬＥＤ１６から出射された光Ｌは、導光板１１内へ入り、導光板１１の上下面で反射を繰り返すことにより方向を変え、上面より外部へ出射する。出射した光Ｌは、液晶表示パネル２０へ向けて進む。
【００２７】
液晶表示パネル２０は、導光板１１の発光面積とほぼ同一の表示面積を有する。液晶表示パネル２０は、ガラスなどの基板１及び２を、シール材３を介して貼り合わせてセル構造を形成し、その内部に液晶４を封入して構成される。液晶表示パネル２０は、基板１、２の夫々の外面上に偏光板５を備える。
【００２８】
照明装置９と液晶表示パネル２０との間には、光学シートとして、例えば、拡散シート１２、プリズムシート１３が設けられる。拡散シート１２は、導光板１１より出射された光Ｌを全方位に拡散する役割を有する。プリズムシート１３は、光Ｌを液晶表示パネル２０に集光する役割を有し、断面が略三角形のプリズム形状を一辺の方向（当該断面と垂直な辺の方向）に延在させた形状を有する。導光板１１から出射した光Ｌは、これらの光学シートを通過した後、液晶表示パネル２０を透過することにより照明する。
【００２９】
液晶表示パネル２０において、基板２の一端より外側へ張り出してなる基板１の張り出し領域（表示に寄与しない非表示領域）には、ＣＯＧ（Chip On Glass）技術により、液晶駆動用ＩＣ（ドライバ）たるドライバＩＣ４０が直接実装されている。液晶表示パネル２０の端部には、ＦＰＣ（Flexible Printed Circuit）５１が接続されており、ドライバＩＣ４０の一部の端子は液晶表示パネル２０上に形成された配線５２（図１を参照）を通じて、ＦＰＣ５１に接続されている。液晶表示パネル２０の端部に実装されたＦＰＣ５１は、図２に示すように、フレーム６１の一端を挟むように折り返されている。
【００３０】
張り出し領域に位置するＦＰＣ５１の実装部分には、例えば、図示しない電子部品が搭載されている。また、照明装置９側に折り返されて固定されたＦＰＣ５１は、図１に示すように、液晶表示装置１００の外側にはみ出すはみ出し部５１ｂを有し、そのはみ出し部５１ｂの終端部にはコネクタ５１ａが設けられている。外部の電子機器はコネクタ５１ａに電気的に接続される。ドライバＩＣ４０は、ＦＰＣ５１を介して供給された外部の電子機器からの制御信号を基に、液晶表示パネル２０の駆動回路を駆動する。これにより、液晶４の配向状態が制御されることとなる。
【００３１】
照明装置９、即ち、導光板１１と反射シート１４と光源部１５は、樹脂などで形成された枠状のフレーム６１の開口部に嵌め込まれている。更に、フレーム６１には、拡散シート１２、プリズムシート１３といった光学シートが、導光板１１の上面の表面上に配置されている。液晶表示パネル２０は、例えば、遮光性を有する枠状の両面テープ２１によって、フレーム６１の開口部を閉塞するようにフレーム６１に接着されて当該フレーム６１に収容され取り付けられている。
【００３２】
照明装置９が嵌め込まれ、液晶表示パネル２０が取り付けられたフレーム６１には、板金などで形成された外枠６２が取り付けられる。
【００３３】
（フレームの構成）
次に、図１を参照して、フレーム６１の構成について詳しく述べる。
【００３４】
フレーム６１は、枠状の形状を有し、外枠６２を一方向（±Ｙ方向）にスライドさせるための複数の凸状部６１ａ、６１ｂ及び６１ｃを有する。
【００３５】
各凸状部６１ａは、ドライバＩＣ４０の両側に位置すると共に、図１において±Ｘ方向に位置する、フレーム６１の側面から突出してなる。本例では、凸状部６１ａは全部で４つ設けられている。フレーム６１の各側面に設けられる一方の凸状部６１ａと、他方の凸状部６１ａとは、Ｙ方向に適宜の間隔をおいて設けられている。外枠６２のスライド方向に対応する、各凸状部６１ａのＹ方向の長さはｄ１１となっている。
【００３６】
各凸状部６１ｂは、液晶表示パネル２０の張り出し領域側に且つＦＰＣ５１の両側に設けられ、フレーム６１の上面から＋Ｚ方向に突出してなる。外枠６２のスライド方向に対応する、各凸状部６１ｂのＹ方向の長さはｄ１２となっている。
【００３７】
各凸状部６１ｃは、液晶表示パネル２０の逆側となる照明装置９側に設けられ、−Ｚ方向に突出してなる。本例では、各凸状部６１ｃは円柱状の形状をなしている。外枠６２のスライド方向に対応する、各凸状部６１ｃのＹ方向の長さはｄ１３となっている。
【００３８】
（外枠の構成）
次に、図１乃至図３を参照して、外枠６２の構成について詳しく述べる。
【００３９】
図３（ａ）は、図１の−Ｚ方向から見たときの外枠６２の正面側の斜視図であり、図３（ｂ）は、図１の＋Ｚ方向から見たときの外枠６２の背面側の斜視図である。
【００４０】
外枠６２は、フレーム６１に対して一方向（±Ｙ方向）にスライドさせることが可能なスライド構造を有し、当該外枠６２を液晶表示パネル２０側へスライドさせた状態において、ＦＰＣ５１で発生する応力を抑制して液晶表示パネル２０の浮きを防止する機能を有する。
【００４１】
外枠６２は、フレーム６１の外形より小さな形状を有すると共に、フレーム６１に対して一方向（±Ｙ方向）にスライドさせることが可能な形状を有する。具体的には、外枠６２は、平板状の形状を有し、照明装置９及びＦＰＣ５１の各一部と重なり合う位置に配置される底面たる平坦部６２ｘと、平坦部６２ｘの両端から＋Ｚ方向に起立し、図１の±Ｘ方向に対応するフレーム６１の側面を狭持する一対の狭持部６２ｙと、一対の狭持部６２ｙに隣接する外枠６２の一端側に設けられ、ＦＰＣ５１の折り返し部分を挟み込むために断面形状が凹形状を有する凹部６２ｚと、を備える。
【００４２】
平坦部６２ｘは、フレーム６１の各凸状部６１ｃに対応する位置に設けられ、当該各凸状部６１ｃが挿入される複数の挿入孔６２ｃと、一対の狭持部６２ｙのうち一方の狭持部６２ｙ側に設けられ、ＦＰＣ５１のはみ出し部５１ｂを挿通するための挿通孔６２ｄと、を有する。外枠６２のスライド方向に対応する、各挿入孔６２ｃのＹ方向の長さｄ３は、各凸状部６１ｃのＹ方向の長さｄ１３より大きい。また、外枠６２のスライド方向に対応する、挿通孔６２ｄのＹ方向の長さｄ４は、ＦＰＣ５１のはみ出し部５１ｂの一端側に設けられたコネクタ５１ａのＹ方向の長さｄ１４より大きい。
【００４３】
一対の狭持部６２ｙは、フレーム６１の各凸状部６１ａに対応する位置に設けられ、当該各凸状部６１ａが挿入される複数の挿入孔６２ａを有する。外枠６２のスライド方向に対応する、各挿入孔６２ａのＹ方向の長さｄ１は、各凸状部６１ａのＹ方向の長さｄ１１より大きい。
【００４４】
凹部６２ｚは、例えば断面コの字形状を有し、外枠６２の底面と、当該底面に対向する対向部たる張り出し部６２ｚａと、を有し、ＦＰＣ５１の折り返し部を挟持する役割を有する。このように、張り出し部６２ｚａは、ＦＰＣ５１の折り返し部を狭持する（又は押さ込む）ために液晶表示パネル２０側へ折り返されているため、押さえ込み部又は折り返し部として機能する。対向部、折り返し部又は押さえ込み部たる張り出し部６２ｚａは、フレーム６１の各凸状部６１ｂに対応する位置に設けられ、当該各凸状部６１ｂが挿入される複数の挿入孔６２ｂを有する。外枠６２のスライド方向に対応する、各挿入孔６２ｂのＹ方向の長さｄ２は各凸状部６１ｂのＹ方向の長さｄ１２より大きい。
【００４５】
以上の構成を有する外枠６２において、挿通孔６２ｄ、各挿入孔６２ａ、６２ｂ及び６２ｃは、フレーム６１に対して当該外枠６２を一方向（±Ｙ方向）にスライドさせるためのスライド構造として機能する。
【００４６】
[液晶表示装置の製造方法]
次に、図１、図４及び図５を参照して、フレーム６１に対する外枠６２の取付方法を中心とした液晶表示装置１００の製造方法について説明する。
【００４７】
図４は、液晶表示装置１００の製造方法のフローチャートを示す。図５及び図６は、図４のフローチャートに対応する、フレーム６１に対する外枠６２の取付工程を示す工程図である。なお、図５（ａ）及び図６（ａ）は、図１（ａ）に対応するフレーム６１に支持された液晶表示装置１００及び照明装置９の構造体（以下、「パネル構造体」と呼ぶ）等の正面側の斜視図であり、図５（ｂ）及び図６（ｂ）は、図１（ｂ）に対応する当該パネル構造体等の背面側の斜視図である。
【００４８】
まず、図５に示されるように、枠状のフレーム６１の開口部内に収容するようにして、上記した構成を有する照明装置９及び液晶表示パネル２０を枠状のフレーム６１に取り付ける。次に、図５に示されるように、液晶表示パネル２０の端部に実装されたＦＰＣ５１を、フレーム６１の一端を挟むように照明装置９側へ折り返えす。なお、本例では、照明装置９側へ折り返されたＦＰＣ５１の部分であって、各凸状部６１ｃに対応する位置には、当該各凸状部６１ｃに挿入する複数の挿入孔が設けられ、当該各凸状部６１ｃはＦＰＣ５１の各挿入孔に挿入されている。このため、照明装置９側へ折り返された状態のＦＰＣ５１がフレーム６１等に仮固定されている。こうして、液晶表示パネル２０及び照明装置９が枠状のフレーム６１に収容されてなるパネル構造体が作製される（パネル構造体作製工程Ｐ１）。
【００４９】
次に、パネル構造体の背面側（照明装置９側）に外枠６２を配置し、その配置された外枠６２を、図５の矢印Ｙ１０方向に移動（即ち、パネル構造体の背面側に近づくように移動）させ、さらに液晶表示パネル２０の背面側に固定されたＦＰＣ５１の一部である、はみ出し部５１ｂを、フレーム６１の外側へはみ出すように外枠６２の挿通孔６２ｄに挿通させ、その後に、凹部６２ｚがフレーム６１の外形より外側に位置するように、フレーム６１の各挿入孔６２ａ及び６２ｃに各凸状部６１ａ及び６１ｃを夫々挿入して、外枠６２をフレーム６１に嵌め込む（外枠嵌め込み工程Ｐ２）。その状態が図６に示されている。
【００５０】
次に、フレーム６１に嵌め込まれた外枠６２を液晶表示パネル２０（図６の矢印Ｙ１１方向及び−Ｙ方向）へスライドさせ、各凸状部６１ｂを各挿入孔６２ｂに挿入しつつ、凹部６２ｚの要素である、外枠６２の平坦部（底面）６２ｘと張り出し部６２ｚａとでＦＰＣ５１の折り返し部を挟み込みつつ、外枠６２をフレーム６１に取り付ける（外枠取付工程Ｐ３）。
【００５１】
ここで、外枠６２のスライド方向に対応する、各挿入孔６２ａのＹ方向の長さｄ１は、上記したように各凸状部６１ａのＹ方向の長さｄ１１より大きく、また、外枠６２のスライド方向に対応する、各挿入孔６２ｃのＹ方向の長さｄ３は、各凸状部６１ｃのＹ方向の長さｄ１３より大きく、また、外枠６２のスライド方向に対応する、各挿入孔６２ｂのＹ方向の長さｄ２は各凸状部６１ｂのＹ方向の長さｄ１２より大きく、さらに、外枠６２のスライド方向に対応する、挿通孔６２ｄのＹ方向の長さｄ４は、ＦＰＣ５１のはみ出し部５１ｂの一端側に設けられたコネクタ５１ａのＹ方向の長さｄ１４より大きい。
【００５２】
そして、各挿入孔６２ａ及び６２ｃは、凹部６２ｚをフレーム６１の外形より外側に位置させるとともに各凸状部６１ａ及び６１ｃを当該各挿入孔６２ａ及び６２ｃへ挿入した状態において、外枠６２を液晶表示パネル２０側（−Ｙ方向）へスライドさせることが可能な大きさを有する。また、各挿入孔６２ｂは、各凸状部６１ｂを各挿入孔６２ｂへ挿入した状態において、外枠６２を液晶表示パネル２０側（−Ｙ方向）へスライドさせることが可能な大きさを有する。さらに、挿通孔６２ｄは、ＦＰＣ５１のはみ出し部５１ｂがフレーム６１の外側へはみ出すように挿通孔６２ｄに挿通された状態において、外枠６２を液晶表示パネル２０側（−Ｙ方向）へスライドさせることが可能な大きさを有する。
【００５３】
なお、外枠６２は、その要素である凹部６２ｚがパネル構造体の一端側と当接することにより、外枠６２の液晶表示パネル２０側への更なる移動は規制される。こうして、外枠６２がフレーム６１の適切な位置に取り付けられた状態が図１に示されている。
【００５４】
以上の各工程を経て本実施形態に係る液晶表示装置１００が製造される。
【００５５】
次に、比較例と比較した、本実施形態の液晶表示装置１００の作用効果について説明する。
【００５６】
まず、図７を参照して、比較例に係る液晶表示装置７０の構成について説明する。なお、比較例において、本実施形態と同一の要素については同一の符号を付し、その説明は省略する。図７は、図２に対応する比較例に係る液晶表示装置７０の断面図を示す。
【００５７】
本実施形態の液晶表示装置１００と、比較例に係る液晶表示装置７０とを比較すると、比較例では、次の点が本実施形態と構成上相違する。
【００５８】
即ち、比較例では、外枠６２ｘが箱状の形状を有している。そして、液晶表示パネル２０の端部に実装されたＦＰＣ５１は、図７に示すように、フレーム６１の一端を挟むように折り返され、当該フレーム６１は、外枠６２ｘに収納されている。比較例において、フレーム６１が外枠６２に収納される際には、まず、ＦＰＣ５１が取り付けられたフレーム６１の一端が矢印９０で示す斜め上方から凹部６２ｚにスライドされて嵌めこまれ、その後で、フレーム６１全体が外枠６２ｘ内に落とし込まれて収納される。
【００５９】
ここで、折り返された状態のＦＰＣ５１には、元に戻ろうとする応力、即ち、折り返された状態から開く方向に応力が発生する。図８に、折り曲げた状態のＦＰＣ５１を示す。折り返された状態のＦＰＣ５１には、波線矢印の方向に応力が発生する。ＦＰＣ５１は、液晶表示パネル２０の端部に実装されているため、ＦＰＣ５１に発生した応力は、液晶表示パネル２０を浮かそうとする方向に働く。両面テープ２１の粘着力だけでは、この応力に対抗し切れないため、液晶表示パネル２０が浮いてしまうパネル浮きが発生する。
【００６０】
そこで、比較例に係る液晶表示装置７０では、図７に示すように、外枠６２ｘは、ＦＰＣ５１の折り返し部分を挟み込むために断面形状が凹形状となっている凹部６２ｚを有する。言い換えると、凹部６２ｚは、本実施形態と同様に、外枠６２ｘの平坦部（底面）６２ｘと当該底面に対向する張り出し部６２ｚａと、を有して構成される。この液晶表示装置７０では、ＦＰＣ５１の折り返し部分を凹部６２ｚで挟み込むことにより、言い換えると、ＦＰＣ５１の折り返し部分を外枠６２ｘの平坦部（底面）６２ｘと張り出し部６２ｚａとで挟み込むことによりＦＰＣ５１に発生した応力を抑えることができ、パネル浮きを防ぐことができる。
【００６１】
しかしながら、比較例において、張り出し領域に位置するＦＰＣ５１上の実装部分に電子部品が搭載されるなどして、張り出し部６２ｚａに支持されるＦＰＣ５１の実装部分の長さｄ３０が長くなり、それに対応して、張り出し部６２ｚａの長さｄ３１が長くなるような構成の下では、フレーム６１の一端を、矢印９０で示す斜め上方から凹部６２ｚにスライドさせて嵌め込むことが困難になってしまい、パネル浮きを防止することができなくなるという問題が生じる。
【００６２】
そこで、本実施形態の液晶表示装置１００では、このような課題を解決するため、外枠６２は、凹部６２ｚ、言い換えれば、少なくとも張り出し部６２ｚａがフレーム６１の外形より外側に位置するように当該フレーム６１に嵌め込まれた状態において、フレーム６１に対して当該外枠６２を一方向（図１等の±Ｙ方向）にスライドさせることが可能なスライド構造を有し、当該外枠６２がスライド構造を通じて液晶表示パネル２０側へスライドされることにより、ＦＰＣ５１の折り返し部が、外枠６２の平坦部（底面）６２ｘと張り出し部６２ｚａとで挟み込まれる構造を有する。
【００６３】
これにより、図２において、ＦＰＣ５１の実装部分に電子部品が搭載されて、そのＦＰＣ５１の実装部分の長さｄ２０（＞ｄ３０）及び張り出し部６２ｚａの長さｄ２１（＞ｄ３１）が長くなるような構成の下でも、外枠６２をスライド構造を通じて液晶表示パネル２０側へスライドさせることにより、ＦＰＣ５１の折り返し部分を外枠６２の平坦部（底面）６２ｘと張り出し部６２ｚａとで挟み込んだ上で、当該外枠６２をフレーム６１に確実且つ容易に取り付けることができる。よって、上述した原理によりＦＰＣ５１に発生した応力を抑えることができ、パネル浮きを防ぐことができる。また、この構成によれば、外枠６２を液晶表示パネル２０側へスライドさせることでフレーム６１に対する外枠６２の取り付けが容易となるのみならず、必要に応じて、外枠６２を液晶表示パネル２０と逆側へスライドさせることでフレーム６１に対する外枠６２の取り外しも容易となり、リワーク性を高めることができる。
【００６４】
好適な例では、外枠６２は、フレーム６１の外形より小さな形状を有すると共に、フレーム６１に対して一方向（±Ｙ方向）にスライドさせることが可能な形状を有するのが好ましい。これにより、比較例に係る箱状の外枠６２ｘと比較して、外枠６２の形成材料の使用量を低減することができ、外枠６２のコストを低減できる。
【００６５】
また、本実施形態に係る液晶表示装置１００では、フレーム６１は外枠６２をスライドさせるための凸状部６１ａ、６１ｂ及び６１ｃを有すると共に、外枠６２は、スライド構造として、凸状部６１ａ、６１ｂ及び６１ｃが夫々挿入される挿入孔６２ａ、６２ｂ及び６２ｃを有し、挿入孔６２ａ、６２ｂ及び６２ｃは、凸状部６１ａ、６１ｂ及び６１ｃがそれぞれ当該挿入孔６２ａ、６２ｂ及び６２ｃに挿入された状態において、外枠６２を液晶表示パネル２０側へスライドさせることが可能な大きさを有する。また、液晶表示パネル２０の背面側に位置するＦＰＣ５１は、フレーム６１の外形より外側へはみ出すはみ出し部５１ｂを有し、外枠６２は、はみ出し部５１ｂを挿通させるための挿通孔６２ｄを有し、挿通孔６２ｄは、はみ出し部５１ｂがフレーム６１の外側へはみ出すように当該挿通孔６２ｄに挿通された状態において、外枠６２を液晶表示パネル２０側へスライドさせることが可能な大きさを有する。これらにより、外枠６２を液晶表示パネル２０側へスライドさせることが可能となる。
【００６６】
また、本実施形態では、ＦＰＣ５１は、フレーム６１の一端を挟むように折り返されると共に、張り出し部６２ｚａとフレーム６１の一端の縁で挟まれている。このようにすることで、ＦＰＣ５１はフレーム６１の縁上に固定される。これにより、ＦＰＣ５１に発生した応力による液晶表示パネル２０のパネル浮きを、より効果的に防ぐことができる。
【００６７】
このとき、張り出し部６２ｚａは、液晶表示パネル２０と対向する領域には配置しないこととするのが好ましい。言い換えると、張り出し部６２ｚａは、液晶表示パネル２０の基板１と平面的に重ならないように配置されるのが好ましい。このようにすることで、液晶表示パネル２０に不要な応力がかからずに済む。
【００６８】
[変形例]
上記の実施形態において、外枠６２を、液晶表示パネル２０側へスライドさせて当該外枠６２をフレーム６１に取り付ける際に、液晶表示パネル２０側に位置する張り出し部６２ｚａの一端側｛図３（ａ）の破線領域Ｅ１部分｝とＦＰＣ５１とが接触してＦＰＣ５１に傷が付いてしまう虞がある。そこで、変形例では、凹部６２ｚの要部断面図である図９に示すように、液晶表示パネル２０側に位置する張り出し部６２ｚａの一端側｛図３（ａ）の破線領域Ｅ１部分｝は、ＦＰＣ５１と逆側へ折り曲げられてなる構成とするのが好ましい。これにより、外枠６２を液晶表示パネル２０側へスライドしてフレーム６１に取り付ける際に、ＦＰＣ５１が張り出し部６２ｚａの一端側によって傷付けられる虞がなくなる。
【００６９】
或いは、この構成に代えて若しくはこの構成と共に、張り出し部６２ｚａと、当該張り出し部６２ｚａに挟持されるＦＰＣ５１の部分との間にＦＰＣ５１を保護するための保護部材｛図１（ａ）の二点鎖線にて囲まれる領域Ｅ２｝を設けるようにしても構わない。これにより、外枠６２を液晶表示パネル２０側へスライドしてフレーム６１に取り付ける際に、ＦＰＣ５１が張り出し部６２ｚａの一端側によって傷付けられる虞がなくなる。
【００７０】
また、上記の実施形態では、外枠６２の凹部６２ｚは、その断面形状がコの字状に形成されるとしているが、これに限られるものではなく、その代わりに、例えば、凹部６２ｚの断面形状は、Ｒ形状若しくはＵ字形状に形成されるとしてもよい。これによっても、液晶表示装置１００では、ＦＰＣ５１の折り返し部分を凹部６２ｚで挟み込むことができ、パネル浮きを防ぐことができる。
【００７１】
また、上述の実施形態では、張り出し部６２ｚａは矩形状の平面形状を有していたが、これに限らず、本発明では、張り出し部６２ｚａは、図示を省略するが、櫛歯状の平面形状を有していても構わない。即ち、本発明では、その趣旨を逸脱しない範囲で張り出し部６２ｚａの平面形状を自由に変えることができる。
【００７２】
また、上述の実施形態では、液晶表示パネル２０と接続されたＦＰＣ５１を折り返した場合について述べたが、これに限られるものではなく、代わりに、例えば、外部の電子機器からの制御信号をＬＥＤ１６に供給するために光源部１５に接続されたＦＰＣを折り返す場合についても同様に本発明を適用できるのは言うまでもない。
【００７３】
さらに、上述の実施形態では、液晶表示装置１００は、片面発光型の液晶表示装置であるとしているが、これに限られるものではなく、代わりに、両面表示型の液晶表示装置であるとしてもよい。この場合には、例えば、背中合わせに設けられた２つの液晶表示パネルを結ぶＦＰＣの折り返し部分を、外枠に形成された凹部で挟み込むことにより、当該２つの液晶表示パネルのパネル浮きを防ぐことができる。
【００７４】
[電子機器]
次に、上述の各実施形態に係る液晶表示装置１００を適用可能な電子機器の具体例について図１０を参照して説明する。
【００７５】
まず、上述の各実施形態に係る液晶表示装置１００を、可搬型のパーソナルコンピュータ（いわゆるノート型パソコン）の表示部に適用した例について説明する。図１０（ａ）は、このパーソナルコンピュータの構成を示す斜視図である。同図に示すように、パーソナルコンピュータ７１０は、キーボード７１１を備えた本体部７１２と、本発明に係る液晶表示装置１００を適用した表示部７１３とを備えている。
【００７６】
続いて、上述の各実施形態に係る液晶表示装置１００を、携帯電話機の表示部に適用した例について説明する。図１０（ｂ）は、この携帯電話機の構成を示す斜視図である。同図に示すように、携帯電話機７２０は、複数の操作ボタン７２１のほか、受話口７２２、送話口７２３とともに、本発明に係る液晶表示装置１００を適用した表示部７２４を備える。
【００７７】
なお、本発明に係る液晶表示装置１００を適用可能な電子機器としては、図１０に示したパーソナルコンピュータや携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００７８】
【図１】本実施形態に係る液晶表示装置の正面側及び背面側の斜視図。
【図２】本実施形態に係る液晶表示装置の断面図。
【図３】本実施形態に係る外枠の正面側及び背面側の斜視図。
【図４】フレームに対する外枠の取付方法を含むフローチャート。
【図５】フレームに対する外枠の取付方法を示す工程図。
【図６】フレームに対する外枠の取付方法を示す工程図。
【図７】比較例に係る液晶表示装置の断面図。
【図８】ＦＰＣの断面構成を示す模式図。
【図９】変形例に係る外枠の構成要素である凹部の要部断面図。
【図１０】本発明の液晶表示装置を適用した電子機器の例を示す図。
【符号の説明】
【００７９】
９  照明装置、  ５１  ＦＰＣ、  ５１ｂ  はみ出し部、  ６１  フレーム、  ６１ａ、６１ｂ、６１ｃ  凸状部、  ６２  外枠、  ６２ａ、６２ｂ、６２ｃ  挿入孔、  ６２ｄ  挿通孔、  ６２ｚ  凹部、  ６２ｚａ  張り出し部、  ２０  液晶表示パネル、  １００  液晶表示装置
【図１】
2008064926.tif 000003
【図２】
2008064926.tif 000004
【図３】
2008064926.tif 000005
【図４】
2008064926.tif 000006
【図５】
2008064926.tif 000007
【図６】
2008064926.tif 000008
【図７】
2008064926.tif 000009
【図８】
2008064926.tif 000010
【図９】
2008064926.tif 000011
【図１０】
2008064926.tif 000012